(57)【要約】【課題】画像の撮影時刻を第三者的に検証することができる画像証明システム及び画像撮影装置を得ることを目的とする。【解決手段】写真撮影装置５が写真の撮影処理を実施する一方、証明コード生成装置１により証明コードが生成された以降に撮影した写真の撮影時刻とＳＤメモリカード４に記録されている証明コードなどからなる拡張証明コードを生成し、その拡張証明コードを写真と一緒にＳＤメモリカード４に記録する。これにより、証明コードが発行された時刻より後に写真が撮影されたことを第三者的に検証可能な形で証明することができるようになる。【選択図】図１
2007158397.tif 000002
【特許請求の範囲】
【請求項１】
時刻を証明する証明コードを生成する証明コード生成装置と、証明コードの生成要求を上記証明コード生成装置に送信して、その証明コード生成装置により生成された証明コードを取得する証明コード取得装置と、画像の撮影処理を実施する一方、上記証明コード生成装置により証明コードが生成された以降に撮像した画像を当該証明コードと一緒に記録媒体に記録する画像撮影装置とを備えた画像証明システム。
【請求項２】
画像撮影装置は、証明コード取得装置により取得された証明コードと画像の撮影時刻からなる拡張証明コードを生成し、その証明コードの代わりに、その拡張証明コードを画像と一緒に記録媒体に記録することを特徴とする請求項１記載の画像証明システム。
【請求項３】
証明コード取得装置が証明コード生成装置により生成された証明コードを可搬型の記録媒体に記録し、画像撮影装置が上記可搬型の記録媒体から証明コードを取り出すことを特徴とする請求項１または請求項２記載の画像証明システム。
【請求項４】
証明コード取得装置と画像撮影装置を取り外し自在の有線ケーブルで接続して、その証明コード取得装置が証明コード生成装置により生成された証明コードを上記画像撮影装置に伝送することを特徴とする請求項１または請求項２記載の画像証明システム。
【請求項５】
画像撮影装置は、現在位置を測位して、現在位置を拡張証明コードに含めることを特徴とする請求項２記載の画像証明システム。
【請求項６】
画像撮影装置は、拡張証明コードから改竄検知コードを生成し、その改竄検知コードを拡張証明コードに含めることを特徴とする請求項２記載の画像証明システム。
【請求項７】
画像撮影装置は、画像と拡張証明コードから署名を生成し、その署名を画像と一緒に記録媒体に記録することを特徴とする請求項２記載の画像証明システム。
【請求項８】
画像撮影装置は、記録媒体である画像保管装置に対する通信が可能である場合、画像と証明コード又は拡張証明コードを上記画像保管装置に送信し、その画像保管装置に対する通信が不可能である場合、画像と証明コード又は拡張証明コードを可搬型の記録媒体に記録することを特徴とする請求項１から請求項７のうちのいずれか１項記載の画像証明システム。
【請求項９】
時刻を証明する証明コードを生成する証明コード生成装置と、上記証明コード生成装置により証明コードが生成された以降に画像撮影装置により撮影された画像を当該証明コードと一緒に保管する画像保管装置とを備えた画像証明システム。
【請求項１０】
画像の撮影処理を実施する画像撮影手段と、証明コード生成装置により証明コードが生成された以降に上記画像撮影手段により撮影された画像を当該証明コードと一緒に記録媒体に記録する画像記録手段とを備えた画像撮影装置。
【請求項１１】
画像撮影手段により画像が撮影された時刻を計測する時刻計測手段と、上記時刻計測手段により計測された画像の撮影時刻と証明コード生成装置により生成された証明コードからなる拡張証明コードを生成する拡張証明コード生成手段とを設け、画像記録手段が証明コードの代わりに、上記拡張証明コード生成手段により生成された拡張証明コードを画像撮影手段により撮影された画像と一緒に記録媒体に記録することを特徴とする請求項１０記載の画像撮影装置。
【請求項１２】
拡張証明コード生成手段は、証明コード生成装置により生成された証明コードが可搬型の記録媒体に記録されている場合、その記録媒体から証明コードを取り出すことを特徴とする請求項１１記載の画像撮影装置。
【請求項１３】
拡張証明コード生成手段は、証明コード取得装置と取り外し自在の有線ケーブルで接続されている場合、その有線ケーブルを介して、その証明コード取得装置から証明コードを取得することを特徴とする請求項１１記載の画像撮影装置。
【請求項１４】
現在位置を測位する位置測位手段を設け、拡張証明コード生成手段が上記位置測位手段により測位された現在位置を拡張証明コードに含めることを特徴とする請求項１１記載の画像撮影装置。
【請求項１５】
拡張証明コード生成手段は、拡張証明コードから改竄検知コードを生成し、その改竄検知コードを拡張証明コードに含めることを特徴とする請求項１１記載の画像撮影装置。
【請求項１６】
画像撮影手段により撮影された画像と拡張証明コード生成手段により生成された拡張証明コードから署名を生成する署名生成手段を設け、画像記録手段が上記署名生成手段により生成された署名を画像と一緒に記録媒体に記録することを特徴とする請求項１１記載の画像撮影装置。
【請求項１７】
画像記録手段は、記録媒体である画像保管装置に対する通信が可能である場合、画像と証明コード又は拡張証明コードを上記画像保管装置に送信し、その画像保管装置に対する通信が不可能である場合、画像と証明コード又は拡張証明コードを可搬型の記録媒体に記録することを特徴とする請求項１０から請求項１６のうちのいずれか１項記載の画像撮影装置。
【発明の詳細な説明】
【技術分野】
【０００１】
この発明は、例えば、写真などの画像の撮影時刻を証明することが可能な画像証明システム及び画像撮影装置に関するものである。
【背景技術】
【０００２】
従来の画像証明システムは、画像撮影装置のカメラが画像を撮影すると、画像撮影装置がカメラにより撮影された画像に撮影時刻を付加して、撮影時刻付の画像を生成する。
画像撮影装置は、撮影時刻付の画像を画像蓄積／証明装置に送信し、画像蓄積／証明装置は、画像撮影装置から送信された撮影時刻付の画像をデータベースに保管する。
ユーザは、ある時刻に撮影された画像の表示を希望する場合、ユーザ端末を操作して撮影時刻を指定し、撮影時刻を含む画像の送信要求を画像撮影装置に送信する。
【０００３】
画像撮影装置は、ユーザ端末から画像の送信要求を受信すると、データベースに保管されている画像の撮影時刻と、画像の送信要求に含まれている撮影時刻とを比較して、データベースに保管されている撮影時刻付の画像の中から、その撮影時刻が一致する画像を検索し、その画像をユーザ端末に送信する。
ユーザ端末は、画像撮影装置から撮影時刻付の画像を受信すると、その画像を再生する（例えば、特許文献１参照）。
【０００４】
【特許文献１】特開２００４−２０１０１７号公報（段落番号［００１９］から［００３５］、図１）
【発明の開示】
【発明が解決しようとする課題】
【０００５】
従来の画像証明システムは以上のように構成されているので、ユーザが所望する撮影時刻の画像を表示することができる。しかし、画像蓄積／証明装置に保管されている画像に付加されている撮影時刻は、あくまでも、画像の撮影主体である画像撮影装置が付加しているものであるため、その撮影時刻が正しいか否かを第三者的に検証することができないなどの課題があった。
【０００６】
この発明は上記のような課題を解決するためになされたもので、画像の撮影時刻を第三者的に検証することができる画像証明システム及び画像撮影装置を得ることを目的とする。
【課題を解決するための手段】
【０００７】
この発明に係る画像証明システムは、画像撮影装置が画像の撮影処理を実施する一方、証明コード取得装置により証明コードが取得された以降に撮像した画像を当該証明コードと一緒に記録媒体に記録するようにしたものである。
【発明の効果】
【０００８】
この発明によれば、画像撮影装置が画像の撮影処理を実施する一方、証明コード生成装置により証明コードが生成された以降に撮像した画像を当該証明コードと一緒に記録媒体に記録するように構成したので、画像撮影装置により撮影された画像が証明コード生成装置により証明コードが生成された以降に撮像された画像であることを第三者的に検証することができる効果がある。
【発明を実施するための最良の形態】
【０００９】
実施の形態１．
図１はこの発明の実施の形態１による画像証明システムを示す構成図であり、図において、証明コード生成装置１は例えばインターネットやＬＡＮなどのネットワーク２を介して証明コードの生成要求を受信すると、位置や時刻を証明する証明コードを生成して、その証明コードを生成要求元に送信する処理を実施する。
証明コード取得装置３は例えばデータの通信機能や現在位置の測位機能を実装しているパーソナルコンピュータ等から構成されており、証明コード取得装置３は証明コードの生成要求を証明コード生成装置１に送信して、その証明コード生成装置１により生成された証明コードを取得し、その証明コードを可搬型の記録媒体であるＳＤ（Ｓｅｃｕｒｅ  Ｄｉｇｉｔａｌ）メモリカード４に記録する処理を実施する。
ここでは、可搬型の記録媒体としてＳＤメモリカード４を使用するものについて示しているが、可搬型の記録媒体であればＳＤメモリカード４に限るものではなく、例えば、フロッピー（登録商標）ディスクなどの記録媒体でもよい。
【００１０】
写真撮影装置５は写真の撮影処理を実施する一方、証明コード生成装置１により証明コードが生成された以降に撮影した写真の撮影時刻とＳＤメモリカード４に記録されている証明コードなどからなる拡張証明コードを生成し、その拡張証明コードを写真と一緒にＳＤメモリカード４に記録する処理を実施する。なお、写真撮影装置５は画像撮影装置を構成している。
ここでは、写真撮影装置５が写真を撮影して、その写真と拡張証明コードをＳＤメモリカード４に記録するものについて説明するが、写真以外の静止画や動画などの画像を撮影し、その画像と拡張証明コードをＳＤメモリカード４に記録するようにしてもよい。
【００１１】
図２はこの発明の実施の形態１による画像証明システムの写真撮影装置を示す構成図であり、図において、カメラ１１は写真を撮影する画像撮影手段を構成している。
時刻計測部１２はクロックを実装しており、カメラ１１が写真の撮影処理を実施すると、写真の撮影時刻を計測する処理を実施する。なお、時刻計測部１２は時刻計測手段を構成している。
ＧＰＳ受信部１３は複数のＧＰＳ衛星からＧＰＳ信号を受信し、複数のＧＰＳ信号から現在位置を測位する処理を実施する。なお、ＧＰＳ受信部１３は位置測位手段を構成している。
【００１２】
ディスクドライブ１４はＳＤメモリカード４が装着されると、拡張証明コード生成部１５の指示の下、ＳＤメモリカード４に記録されている証明コードの読込処理を実施する。
拡張証明コード生成部１５はディスクドライブ１４により読み込まれた証明コードと、時刻計測部１２により計測された写真の撮影時刻と、ＧＰＳ受信部１３により測位された現在位置と、連番（連番は、証明コードが使用された順に付与される番号であり、同じ証明コードがＮ回使用された場合、連番はＮになる）とからなる拡張証明コードを生成する処理を実施する。
なお、ディスクドライブ１４及び拡張証明コード生成部１５から拡張証明コード生成手段が構成されている。
【００１３】
写真記録部１６はディスクドライブ１４を制御して、拡張証明コード生成部１５により生成された拡張証明コードをカメラ１１により撮影された写真と一緒にＳＤメモリカード４に記録する処理を実施する。
なお、ディスクドライブ１４及び写真記録部１６から画像記録手段が構成されている。
【００１４】
次に動作について説明する。
例えば、ユーザが写真撮影を実施する際、証明コード取得装置３を操作して、証明コードの取得を指示する。
証明コード取得装置３は、証明コードの取得指示を受けると、実装しているＧＰＳ受信部（図示せず）を用いて、複数のＧＰＳ衛星からＧＰＳ信号を受信し、複数のＧＰＳ信号から現在位置（緯度、経度）を測位する。
証明コード取得装置３は、現在位置を測位すると、ネットワーク２を介して、現在位置を含む証明コードの生成要求を証明コード生成装置１に送信する。
【００１５】
証明コード生成装置１は、証明コード取得装置３から送信された証明コードの生成要求を受信すると、その生成要求の受信時刻における気象画像を収集する（例えば、信頼性の高い協会が配信している気象画像を収集する）。
ここで、気象画像（雲の形）は、人間の指紋と同様に唯一の存在であるため、気象画像から生成要求の受信時刻を特定することができる。また、未来の気象画像は予測が不可能であるため、偽証は不可能である。
【００１６】
証明コード生成装置１は、証明コードの生成要求の受信時刻における気象画像を収集すると、その受信時刻における気象画像と証明コードの生成要求に含まれている現在位置（緯度、経度）とを組み合わせてハッシュ関数で数値化することにより、ハッシュコードを生成する。
このようにして生成されるハッシュコードは、以後、位置と時刻を証明する証明コードとして使用されるが、このハッシュコードは、例えば、１２桁の英数字（例えば、ＮＤＦ２１ＤＦ８７０２５）から構成される。
なお、位置と時刻を証明する証明コードの生成方法として、具体的には、例えば、「位置時間証明情報提供サービス  ＣＯＣＯ−ＤＡＴＥＳ」を利用すればよい。
URL 「http://www.mitsubishielectric.co.jp/coco-dates/index.html」
【００１７】
証明コード生成装置１は、位置と時刻を証明する証明コードを生成すると、ネットワーク２を介して、その証明コードを生成要求元である証明コード取得装置３に送信する。
証明コード取得装置３は、証明コード生成装置１から送信された証明コードを受信すると、その証明コードを可搬型の記録媒体であるＳＤメモリカード４に記録する。
ただし、証明コード取得装置３は、ＳＤメモリカード４との間で相互認証を実施し、相互認証が得られた場合に限り、証明コードをＳＤメモリカード４に記録するようにする。
したがって、ＳＤメモリカード４には、証明コード取得装置３以外の装置によって証明コードが記録されることはない。
【００１８】
ユーザは、写真撮影を実施する際に、証明コード生成装置１からＳＤメモリカード４を取り外して、そのＳＤメモリカード４を写真撮影装置５のディスクドライブ１４に装着する。
写真撮影装置５のカメラ１１は、ＳＤメモリカード４がディスクドライブ１４に装着されたのち、ユーザの操作又は自動操作で写真撮影を実施する。
【００１９】
写真撮影装置５の時刻計測部１２は、カメラ１１による写真撮影の実施を検知すると、写真の撮影時刻を計測する。
写真撮影装置５のＧＰＳ受信部１３は、複数のＧＰＳ衛星からＧＰＳ信号を受信して、複数のＧＰＳ信号から現在位置（緯度、経度）を測位する。
写真撮影装置５のディスクドライブ１４は、拡張証明コード生成部１５の指示の下、ＳＤメモリカード４に記録されている証明コードの読込処理を実施する。
【００２０】
写真撮影装置５の拡張証明コード生成部１５は、ディスクドライブ１４が証明コードを読み込むと、時刻計測部１２により計測された写真の撮影時刻が当該証明コードの生成時刻より後であれば（証明コードの生成時刻は、証明コード生成装置１に問い合わせれば、確認することができる。また、ＳＤメモリカード４に証明コードの生成時刻が記録されている場合には、その生成時刻を読み取れば、確認することができる）、下記に示すように、ディスクドライブ１４により読み込まれた証明コードと、時刻計測部１２により計測された写真の撮影時刻と、ＧＰＳ受信部１３により測位された現在位置と、連番（連番は、証明コードが使用された順に付与される番号であり、同じ証明コードがＮ回使用された場合、連番はＮになる）とからなる拡張証明コードを生成する。
拡張証明コード＝証明コード＋写真の撮影時刻＋現在位置＋連番
なお、拡張証明コードに連番を含めている理由は、ＳＤメモリカード４に記録されている同一の証明コードを用いて、拡張証明コードを生成することがあり、撮影時刻が古い写真ほど、拡張証明コードが若番の連番を含むようにすれば、第三者が写真の撮影順序を確認することができるからである。
写真撮影装置５の拡張証明コード生成部１５は、時刻計測部１２により計測された写真の撮影時刻が当該証明コードの生成時刻より前であれば、拡張証明コードの生成を拒否する。したがって、証明コードの生成時刻より前に撮影された写真については、後述する写真記録部１６が拡張証明コードと一緒に、ＳＤメモリカード４に記録することはない。
【００２１】
写真撮影装置５の写真記録部１６は、拡張証明コード生成部１５が拡張証明コードを生成すると、その拡張証明コードとカメラ１１により撮影された写真とをひもづけ、ディスクドライブ１４を制御して、その拡張証明コードと写真を一緒にＳＤメモリカード４に記録する。
ただし、写真撮影装置５の写真記録部１６は、ＳＤメモリカード４との間で相互認証を実施し、相互認証が得られた場合に限り、拡張証明コードと写真をＳＤメモリカード４に記録するようにする。
したがって、ＳＤメモリカード４には、写真撮影装置５以外の装置によって拡張証明コードと写真が記録されることはない。
【００２２】
以上で明らかなように、この実施の形態１によれば、写真撮影装置５が写真の撮影処理を実施する一方、証明コード生成装置１により証明コードが生成された以降に撮影した写真の撮影時刻とＳＤメモリカード４に記録されている証明コードなどからなる拡張証明コードを生成し、その拡張証明コードを写真と一緒にＳＤメモリカード４に記録するように構成したので、写真撮影装置５により撮影された写真が証明コード生成装置１により証明コードが生成された以降に撮像された写真であることを第三者的に検証することができる効果を奏する。
即ち、拡張証明コードには、写真撮影装置５により計測された写真の撮影時刻だけでなく、偽造が極めて困難なハッシュコードである証明コードが含まれているため、証明コードが生成された時刻より後に写真が撮影されたことを第三者的に検証可能な形で証明することができる効果を奏する。なお、証明コードの生成時刻は、第三者が証明コード生成装置１に問い合わせることにより、確認することができる。
【００２３】
また、この実施の形態１によれば、証明コード取得装置３が証明コード生成装置１により生成された証明コードをＳＤメモリカード４に記録し、写真撮影装置５がＳＤメモリカード４から証明コードを取り出すように構成したので、写真撮影装置５が通信機能を備えておらず、ネットワーク２にアクセスすることができない場合でも、証明コード生成装置１により生成された証明コードを使用して、拡張証明コードを生成することができる効果を奏する。
【００２４】
さらに、この実施の形態１によれば、現在位置を測位して、現在位置と写真の撮影時刻と証明コードからなる拡張証明コードを生成するように構成したので、写真撮影装置５による写真の撮影位置を検証することができるようになり、その結果、第三者が不正な位置での撮影であるか否かを検証することができる効果を奏する。
【００２５】
なお、この実施の形態１では、写真の撮影時刻と証明コード取得装置３により取得された証明コードからなる拡張証明コードを生成し、その拡張証明コードを写真と一緒にＳＤメモリカード４に記録するようにしているが、証明コード取得装置３により取得された証明コードを写真と一緒にＳＤメモリカード４に記録するようにしてもよい。
この場合、第三者は、写真の撮影時刻を確認することができないが、写真撮影装置５により撮影された写真が証明コード生成装置１により証明コードが生成された以降に撮像された写真であることは、同様に検証することができる。
【００２６】
また、この実施の形態１では、証明コード取得装置３が証明コード生成装置１により生成された証明コードをＳＤメモリカード４に記録し、写真撮影装置５がＳＤメモリカード４から証明コードを取り出すものについて示したが、証明コード取得装置３と写真撮影装置５を例えばＵＳＢケーブル（取り外し自在の有線ケーブル）で接続して、証明コード取得装置３がＵＳＢケーブルを介して、証明コード生成装置１により生成された証明コードを写真撮影装置５に伝送するようにしてもよい。
【００２７】
また、この実施の形態１では、画像撮影装置である写真撮影装置５が写真を撮影するものについて示したが、画像撮影装置が写真撮影装置５に限るものではなく、画像撮影装置が例えばスキャナ装置やファクシミリ装置などでもよい。
例えば、画像撮影装置がスキャナ装置である場合、そのスキャナ装置により読み込まれた画像（例えば、本、原稿、写真などの画像）の読込時刻と証明コードからなる拡張証明コードを生成することになる。
また、画像撮影装置がファクシミリ装置である場合、そのファクシミリ装置により読み込まれた送信原稿（例えば、本、原稿、写真などの画像）の読込時刻、または、ファクシミリ装置により受信された受信原稿の受信時刻と証明コードからなる拡張証明コードを生成することになる。
【００２８】
実施の形態２．
上記実施の形態１では、写真撮影装置５の拡張証明コード生成部１５が拡張証明コード（証明コード＋写真の撮影時刻＋現在位置＋連番）を生成するものについて示したが、拡張証明コード生成部１５が拡張証明コードから改竄検知コードを生成し、その改竄検知コードを含む拡張証明コードを生成するようにしてもよい。
具体的には、以下の通りである。
【００２９】
写真撮影装置５の拡張証明コード生成部１５は、上記実施の形態１と同様にして、拡張証明コード（証明コード＋写真の撮影時刻＋現在位置＋連番）を生成すると、例えば、その拡張証明コードＥをハッシュ関数Ｈ（）に代入することにより、その関数値である改竄検知コードＴを生成する。
Ｔ＝Ｈ（Ｅ）
写真撮影装置５の拡張証明コード生成部１５は、改竄検知コードＴを生成すると、その改竄検知コードＴを含む拡張証明コードを生成する。
拡張証明コード＝証明コード＋写真の撮影時刻＋現在位置＋連番＋改竄検知コード
【００３０】
以上で明らかなように、この実施の形態２によれば、拡張証明コード生成部１５が拡張証明コードから改竄検知コードを生成し、その改竄検知コードを含む拡張証明コードを生成するように構成したので、拡張証明コードの改竄を容易に検出することができるようになる効果を奏する。
【００３１】
実施の形態３．
図３はこの発明の実施の形態３による画像証明システムの写真撮影装置を示す構成図であり、図において、図２と同一符号は同一または相当部分を示すので説明を省略する。
署名生成部１７はカメラ１１により撮影された写真と拡張証明コード生成部１５により生成された拡張証明コードから署名を生成する処理を実施する。なお、署名生成部１７は署名生成手段を構成している。
写真記録部１８はディスクドライブ１４を制御して、拡張証明コード生成部１５により生成された拡張証明コードと署名生成部１７により生成された署名をカメラ１１により撮影された写真と一緒にＳＤメモリカード４に記録する処理を実施する。
なお、ディスクドライブ１４及び写真記録部１８から画像記録手段が構成されている。
【００３２】
上記実施の形態１では、写真撮影装置５の写真記録部１６が拡張証明コード生成部１５により生成された拡張証明コードとカメラ１１により撮影された写真を一緒にＳＤメモリカード４に記録するものについて示したが、カメラ１１により撮影された写真と拡張証明コード生成部１５により生成された拡張証明コードから署名を生成し、その署名と拡張証明コードと写真を一緒にＳＤメモリカード４に記録するようにしてもよい。
具体的には、以下の通りである。
【００３３】
写真撮影装置５の署名生成部１７は、カメラ１１が写真を撮影し、拡張証明コード生成部１５が拡張証明コード（証明コード＋写真の撮影時刻＋現在位置＋連番）を生成すると、例えば、その拡張証明コードＥと写真Ｐをハッシュ関数Ｈ（）に代入することにより、その関数値である署名Ｓを生成する。
Ｓ＝Ｈ（Ｅ＋Ｐ）
【００３４】
写真撮影装置５の写真記録部１８は、署名生成部１７が署名を生成すると、その署名と拡張証明コードと写真とをひもづけ、ディスクドライブ１４を制御して、その署名と拡張証明コードと写真を一緒にＳＤメモリカード４に記録する。
ただし、写真撮影装置５の写真記録部１８は、ＳＤメモリカード４との間で相互認証を実施し、相互認証が得られた場合に限り、署名と拡張証明コードと写真をＳＤメモリカード４に記録するようにする。
したがって、ＳＤメモリカード４には、写真撮影装置５以外の装置によって署名と拡張証明コードと写真が記録されることはない。
【００３５】
以上で明らかなように、この実施の形態３によれば、署名生成部１７がカメラ１１により撮影された写真と拡張証明コード生成部１５により生成された拡張証明コードから署名を生成し、写真記録部１８が署名と拡張証明コードと写真を一緒にＳＤメモリカード４に記録するように構成したので、写真の改竄や拡張証明コードのすりかえなどを容易に検出することができる効果を奏する。
【００３６】
実施の形態４．
図４はこの発明の実施の形態４による画像証明システムを示す構成図であり、図において、図１と同一符号は同一または相当部分を示すので説明を省略する。
写真保管装置６はネットワーク２に接続されており、写真保管装置６は写真を記録する記録媒体である。なお、写真保管装置６は画像保管装置を構成している。
【００３７】
図５はこの発明の実施の形態４による画像証明システムの写真撮影装置を示す構成図であり、図において、図３と同一符号は同一または相当部分を示すので説明を省略する。
データ通信部１９は例えばモデムなどの通信モジュールから構成されており、写真保管装置６に対する通信が可能である場合、写真と拡張証明コードと署名を一緒に写真保管装置６に送信する。
なお、ディスクドライブ１４、写真記録部１８及びデータ通信部１９から画像記録手段が構成されている。
【００３８】
上記実施の形態１〜３では、写真撮影装置５の写真記録部１６，１８が写真と拡張証明コード等をＳＤメモリカード４に記録するものについて示したが、写真保管装置６に対する通信が可能な状況にあれば、写真撮影装置５のデータ通信部１９がひもづけている写真と拡張証明コードと署名を写真保管装置６に送信する。
これにより、写真保管装置６は、写真撮影装置５のデータ通信部１９から送信された写真と拡張証明コードと署名を対にして保管する。
ただし、写真撮影装置５のデータ通信部１９は、写真保管装置６との間で相互認証を実施し、相互認証が得られた場合に限り、写真と拡張証明コードと署名を写真保管装置６に送信するようにする。
したがって、写真保管装置６には、写真撮影装置５以外の装置によって写真と拡張証明コードと署名が記録されることはない。
一方、写真撮影装置５の写真記録部１８は、写真保管装置６に対する通信が不可能な状況にある場合、上記実施の形態３と同様に、写真と拡張証明コードと署名をＳＤメモリカード４に記録する。
【００３９】
以上で明らかなように、この実施の形態４によれば、写真保管装置６に対する通信が可能である場合、写真撮影装置５のデータ通信部１９が写真と拡張証明コードと署名を写真保管装置６に送信し、写真保管装置６に対する通信が不可能である場合、写真撮影装置５の写真記録部１８が写真と拡張証明コードと署名をＳＤメモリカード４に記録するように構成したので、写真撮影装置５が通信機能を利用する状況下にあるか否かに関わらず、撮影した写真等を記録することができる効果を奏する。
【００４０】
実施の形態５．
上記実施の形態３，４では、写真撮影装置５が拡張証明コード生成部１５及び署名生成部１７を実装しているものについて示したが、写真撮影装置５の代わりに、ＳＤメモリカード４が拡張証明コード生成部１５及び署名生成部１７を実装しているようにしてもよい。
【００４１】
実施の形態６．
上記実施の形態１〜５では、証明コード取得部３及び写真撮影装置５が別個に構成されているものについて示したが、証明コード取得部３及び写真撮影装置５を合体して一つの装置で構成してもよい。
例えば、携帯電話などが証明コード取得部３及び写真撮影装置５の機能を搭載するようにすれば、１つの装置で構成することができる。
【図面の簡単な説明】
【００４２】
【図１】この発明の実施の形態１による画像証明システムを示す構成図である。
【図２】この発明の実施の形態１による画像証明システムの写真撮影装置を示す構成図である。
【図３】この発明の実施の形態３による画像証明システムの写真撮影装置を示す構成図である。
【図４】この発明の実施の形態４による画像証明システムを示す構成図である。
【図５】この発明の実施の形態４による画像証明システムの写真撮影装置を示す構成図である。
【符号の説明】
【００４３】
１  証明コード生成装置、２  ネットワーク、３  証明コード取得装置、４  ＳＤメモリカード（可搬型の記録媒体）、５  写真撮影装置（画像撮影装置）、６  写真保管装置（記録媒体）、１１  カメラ（画像撮影手段）、１２  時刻計測部（時刻計測手段）、１３  ＧＰＳ受信部（位置測位手段）、１４  ディスクドライブ（拡張証明コード生成手段、画像記録手段）、１５  拡張証明コード生成部（拡張証明コード生成手段）、１６  写真記録部（画像記録手段）、１７  署名生成部（署名生成手段）、１８  写真記録部（画像記録手段）、１９  データ通信部（画像記録手段）。
【図１】
2007158397.tif 000003
【図２】
2007158397.tif 000004
【図３】
2007158397.tif 000005
【図４】
2007158397.tif 000006
【図５】
2007158397.tif 000007